(57)【要約】【課題】外構工事によって敷地に設置される屋外床部を、適切にバリアフリー化する。【解決手段】庭Ｇに面した開口部Ｒａを介して居室Ｒの床面Ｒｂに床面１ａを連続させるように設置される主屋外床部構成体１と、この主屋外床部構成体１の前方においてこの主屋外床部構成体１と一体をなすように設置されると共に床面２ａをこの主屋外床部構成体１の床面１ａよりも下方に位置させる従屋外床部構成体２と、主屋外床部構成体１の側方においてこの主屋外床部構成体１と一体をなすように設置されると共に開口縁３ａを主屋外床部構成体１の床面１ａと略同面上に位置させる植栽ボックス３とを備えてなる。【選択図】図１
2013019101.tif 000002
【特許請求の範囲】
【請求項１】
庭に面した開口部を介して居室の床面に床面を連続させるように設置される主屋外床部構成体と、
この主屋外床部構成体の前方においてこの主屋外床部構成体と一体をなすように設置されると共に、床面をこの主屋外床部構成体の床面よりも下方に位置させる従屋外床部構成体と、
主屋外床部構成体の側方においてこの主屋外床部構成体と一体をなすように設置されると共に、開口縁を主屋外床部構成体の床面と略同面上に位置させる植栽ボックスとを備えてなることを特徴とする屋外床部ユニット。
【発明の詳細な説明】
【技術分野】
【０００１】
この発明は、外構工事によって敷地に設置されて利用し易い屋外床部を構成する屋外床部ユニットに関する。
【背景技術】
【０００２】
現在、戸建て住宅においては、庭にウッドデッキなどの屋外床部を設置することが好まれる傾向にある。しかるに、ウッドデッキは、その床面を庭に面した居室の床面と略同じレベルに位置させるように設置されるものであるため、これを利用して庭に降りたり庭から居室に入ることは、通常の健常者と同じような身体能力を発揮できない幼児や高齢者などには困難を強いる。
【発明の概要】
【発明が解決しようとする課題】
【０００３】
この発明は、外構工事によって敷地に設置される屋外床部を、適切にバリアフリー化する点にある。
【課題を解決するための手段】
【０００４】
前記課題を達成するために、この発明にあっては、屋外床部ユニットを、庭に面した開口部を介して居室の床面に床面を連続させるように設置される主屋外床部構成体と、
この主屋外床部構成体の前方においてこの主屋外床部構成体と一体をなすように設置されると共に、床面をこの主屋外床部構成体の床面よりも下方に位置させる従屋外床部構成体と、
主屋外床部構成体の側方においてこの主屋外床部構成体と一体をなすように設置されると共に、開口縁を主屋外床部構成体の床面と略同面上に位置させる植栽ボックスとを備えてなるものとした。
【０００５】
従屋外床部構成体は主屋外床部構成体の前方にあって主屋外床部構成体より低いが庭の地盤面よりも高い床面を構成することから、屋外床部ユニットにより構成される屋外床部は居室から庭に段階的に降り出ることを可能とし、また、庭から居室に段階的に昇り入ることを可能とする。また、従屋外床部構成体を足載せ台として主屋外床部構成体に腰掛けるような利用も可能とする。植栽ボックスは主屋外床部構成体の側方においてこの主屋外床部構成体と一体をなすと共に、その開口縁を主屋外床部構成体の床面と略同面上に位置させ従ってこれに入れられた土壌による植栽地盤面は主屋外床部構成体の床面と略同面上に位置される。よって、この植栽ボックスに植えられた植物の手入れは行い易く、また、かかる植物に対する日当たりも良くできる。
【発明の効果】
【０００６】
この発明によれば、外構工事によって敷地に設置される屋外床部を、簡素な構造をもって、その機能性及び意匠性を損なうことなく、バリアフリー化することができ、さらに、植栽ボックスを利用して屋外床部の外に出ることなく一定の植栽を身近に管理することが可能とされる。
【図面の簡単な説明】
【０００７】
【図１】図１は実施の形態にかかる屋外床部ユニットの設置状態を示した斜視構成図である。
【図２】図２は図１の屋外床部ユニットの平面構成図であり、建物の記載を省略して示している。
【図３】図３は図１の屋外床部ユニットの正面構成図であり、建物の記載を省略して示している。
【図４】図４は図１〜図３に示される例と構成を異ならせる屋外床部ユニットの平面構成図であり、建物の記載を省略して示している。
【発明を実施するための形態】
【０００８】
以下、図１〜図４に基づいて、この発明の典型的な実施の形態について、説明する。この実施の形態にかかる屋外床部ユニットは、外構工事によって敷地に設置されて利用し易い屋外床部Ｄを構成するものである。すなわち、かかる屋外床部Ｄユニットは、敷地の庭Ｇに設置されて、デッキないしはテラスとなるものである。
【０００９】
かかる屋外床部ユニットは、主屋外床部構成体１と、従屋外床部構成体２と、植栽ボックス３とから構成される。
【００１０】
主屋外床部構成体１は、庭Ｇに面した開口部Ｒａを介して居室Ｒの床面Ｒｂに床面１ａを連続させるように設置される。典型的には、主屋外床部構成体１は、人の出入りできる高さを備えた居室Ｒの掃き出し窓Ｒｃの開口下端と略同じレベルに床面１ａを位置させるようにして、この掃き出し窓Ｒｃの外側に設置される。典型的には、主屋外床部構成体１は、前記掃き出し窓Ｒｃの開口幅と略同じかそれより大きい左右寸法を持つように構成され、掃き出し窓Ｒｃのどの位置から屋外に出る場合でもその動線上に主屋外床部構成体１が位置されるように設置される。図示の例では、主屋外床部構成体１は、その左右寸法が前後寸法より大きくなっており、平面視の状態において床面１ａの輪郭を長方形状としている。図１〜図３に示される例では、主屋外床部構成体１は、左右の脚部４、４、及び、この左右の脚部４、４間に位置される中央の脚部５上に、木製の板材６を架設させることで構成されている。図１〜図３に示される例では、前記板材６の左端は左側の脚部４よりも左側に位置されており、この左側の脚部４よりも左側にある床面１ａ下の空間にホースリールを収納するに都合の良い大きさの収納空間７が形成されている。
【００１１】
一方、従屋外床部構成体２は、前記主屋外床部構成体１の前方においてこの主屋外床部構成体１と一体をなすように設置されると共に、床面２ａをこの主屋外床部構成体１の床面１ａよりも下方に位置させる。典型的には、従屋外床部構成体２は、その床面２ａの高さを主屋外床部構成体１の床面１ａの高さの約二分の一とするように設定される。図１〜図３に示される例では、従屋外床部構成体２は、その左右寸法を主屋外床部構成体１の左右寸法の二分の一以下としている。図示の例では、従屋外床部構成体２も平面視の状態において床面２ａの輪郭を長方形状としている。図１〜図３に示される例では、従屋外床部構成体２は、前記の右側の脚部４と中央の脚部５上に、木製の板材６を架設させることで構成されている。これにより、図１〜図３に示される例では、前記左側の脚部４と中央の脚部５間にある主屋外床部構成体１の床面１ａ下の空間に前記ホースリールを収納するに都合の良い大きさの前記収納空間７よりも大きい収納空間８が形成されている。かかる従屋外床部構成体２の廻りは芝張りとすることが好ましい。また、かかる従屋外床部構成体２の廻りには、盛り土によりかかる従屋外床部構成体２の縁近傍に頂部を位置させるスロープを形成させるようにしても良い。
【００１２】
前記植栽ボックス３は、主屋外床部構成体１の側方においてこの主屋外床部構成体１と一体をなすように設置されると共に、開口縁３ａを主屋外床部構成体１の床面１ａと略同面上に位置させる。図示の例では、植栽ボックス３は、前後寸法を、主屋外床部構成体１の前後寸法に従屋外床部構成体２の前後寸法を加えた寸法と略同じ寸法としている。また、図示の例では、植栽ボックス３は、前後寸法よりも左右寸法を小さくし、平面視の状態において輪郭を長方形状としている。そして、図示の例では、植栽ボックス３は、その左側部を主屋外床部構成体１の右側部に接しさせた状態で設置されている。
【００１３】
なお、図中符号９で示すのは主屋外床部構成体１及び従屋外床部構成体２の前端及び側端を化粧する化粧板であり、図中符号１０で示すのは植栽ボックス３の側部を化粧する化粧板である。
【００１４】
図４に示されるように、主屋外床部構成体１における植栽ボックス３の隣接側と反対の側にガーデンパン１１及び水栓１２を設置するようにしても良い。また、図示は省略するが、主屋外床部構成体１の左右両側にそれぞれ植栽ボックス３を設置するようにしても良い。
【００１５】
従屋外床部構成体２は主屋外床部構成体１の前方にあって主屋外床部構成体１より低いが庭Ｇの地盤面よりも高い床面２ａを構成することから、屋外床部ユニットにより構成される屋外床部Ｄは居室Ｒから庭Ｇに段階的に降り出ることを可能とし、また、庭Ｇから居室Ｒに段階的に昇り入ることを可能とする。また、従屋外床部構成体２を足載せ台として主屋外床部構成体１に腰掛けるような利用も可能とする。植栽ボックス３は主屋外床部構成体１の側方においてこの主屋外床部構成体１と一体をなすと共に、その開口縁３ａを主屋外床部構成体１の床面１ａと略同面上に位置させ従ってこれに入れられた土壌による植栽地盤面は主屋外床部構成体１の床面１ａと略同面上に位置される。よって、この植栽ボックス３に植えられた植物の手入れは行い易く、また、かかる植物に対する日当たりも良くできる。
【符号の説明】
【００１６】
Ｇ  庭
Ｒ  居室
Ｒａ  開口部
Ｒｂ  床面
１  主屋外床部構成体
１ａ  床面
２  従屋外床部構成体
２ａ  床面
３  植栽ボックス
３ａ  開口縁
【図１】
2013019101.tif 000003
【図２】
2013019101.tif 000004
【図３】
2013019101.tif 000005
【図４】
2013019101.tif 000006